(57)【要約】【課題】可及的に一定のＸ線量でＸ線撮影を行えるようにする。【解決手段】Ｘ線発生手段１０３からＸ線管球１０４を介して被写体Ｓに向けて照射したＸ線の線量を検出手段１０５で検出し、検出したＸ線の線量を反映させたヒストグラムを作成して表示手段１０７に表示することにより、被写体Ｓを撮影するのに使用したＸ線の線量が、どの程度であるかを、撮影者に確認させるようにするとともに、使用頻度の高いＸ線量を撮影者に容易に認識させるようにして、撮影者や施設などによって、使用するＸ線量にばらつきが生じてしまうことを可及的に防止するようにする。【選択図】      図１
2004337197.tif 000002
【特許請求の範囲】
【請求項１】
被写体の撮影に要したＸ線量を検出する検出手段と、
上記検出手段で検出されたＸ線量の統計値を算出する統計手段と
上記統計手段で算出された統計値を表示する表示手段とを具備することを特徴とするＸ線画像撮影装置。
【発明の詳細な説明】
【０００１】
【発明の属する技術分野】
本発明は、Ｘ線画像撮影装置に関し、特に、被写体にＸ線を照射してデジタルＸ画像を得るようにするために用いて好適なものである。
【０００２】
【従来の技術】
ある種の蛍光体に放射線（Ｘ線、α線、β線、γ線、電子線、紫外線等）を照射すると、この放射線エネルギーの一部が蛍光体中に蓄積される。そして、この蛍光体に可視光等の励起光を照射すると、蓄積された放射線エネルギーに応じて蛍光体が輝尽発光を示すことが知られている。このような性質を示す蛍光体は、蓄積性蛍光体（輝尽性蛍光体）と呼ばれている。
【０００３】
この蓄積性蛍光体を利用して、人体等の被写体の放射線画像情報を蓄積性蛍光体のシートに一旦記録し、この蓄積性蛍光体シートをレーザ光等の励起光で走査して輝尽発光光を発生させ、これにより得られた輝尽発光光を光電的に読み取って画像信号を得る。
【０００４】
そして、この画像信号に基づき写真感光材料等の記録材料、ＣＲＴ等の表示装置に被写体の放射線画像を可視像として出力させる放射線画像情報記録再生システムが提案されている（例えば、特許文献１、２を参照。）。
【０００５】
また、近年においては、半導体のセンサを使用してＸ線画像を撮影するデジタルＸ線撮影装置を用いたシステムが開発されている。これらのシステムは、従来の銀塩写真を用いる放射線写真システムと比較して極めて広い放射線露出域にわたって画像を記録しうるという実用的な利点を有している。
【０００６】
すなわち、非常に広いダイナミックレンジのＸ線を光電変換手段により読み取って電気信号に変換し、この電気信号を用いて写真感光材料等の記録材料、ＣＲＴ等の表示装置に放射線画像を可視像として出力させることによって、放射線露光量の変動に影響されない放射線画像を得ることができる。
【０００７】
【特許文献１】
特開昭５５−１２４２９号公報
【特許文献２】
特開昭５６−１１３９５号公報
【０００８】
【発明が解決しようとする課題】
ところで、従来のフィルム、スクリーンシステムにおいては、透過Ｘ線量が十分でない場合は、フィルムに十分な黒化が得られないので、Ｘ線量が不足していることを一目で判断できる。また、透過Ｘ線量が多すぎる場合においては、フィルムが黒くなり過ぎるので、Ｘ線量が多すぎることも一目で判断できる。
【０００９】
しかし、上述したデジタルＸ線撮影装置においては、透過したＸ線量に関係なく部位に最適な画像処理が自動的に行われるため、出力される画像の濃淡で、Ｘ線量が多かったか、それとも少なかったのかを判断することができない。
【００１０】
また、従来のフィルム、スクリーンシステムを用いて一般撮影を行った際に被写体が受ける被曝線量については、施設または撮影者によってかなりばらつきがあると言われている。画像処理によって自動的に画像を調整する機能があるデジタルＸ線撮影装置においては、施設または撮影者によって、フィルム、スクリーンシステム以上に被曝線量にばらつきが生じるある場合がある。
【００１１】
本発明は上述の問題点に鑑みてなされたものであり、可及的に一定のＸ線量でＸ線撮影を行えるようにすることを目的とする。
【００１２】
【課題を解決するための手段】
本発明のＸ線画像撮影装置は、被写体の撮影に要したＸ線量を検出する検出手段と、上記検出手段で検出されたＸ線量の統計値を算出する統計手段と上記統計手段で算出された統計値を表示する表示手段とを具備することを特徴とする。
本発明は上記技術手段を有するので、被写体の撮影に要したＸ線量の統計値を撮影後、もしくは撮影前に表示することにより、被写体の撮影に要したＸ線量の実績を、撮影者に対して認識させるようにし、施設または撮影者によって、撮影に使用するＸ線量にばらつきが生じてしまうことを可及的に少なくする。
【００１３】
【発明の実施の形態】
（第１の実施の形態）
次に、図面を参照しながら、本発明の第１の実施の形態について説明する。
図１は、本実施の形態が適用されるＸ線画像撮影装置のシステム構成の一例を示す図である。この図中の矢印は、情報及びコマンドの流れを示している。
【００１４】
図１において、このＸ線撮影装置は、立位センサユニット１０１と、臥位センサユニット１０２と、Ｘ線発生手段１０３と、Ｘ線管球１０４と、検出手段１０５と、システム制御部１０６と、表示手段１０７とを備えて構成されている。
【００１５】
また、１０８はネットワークであり、ここでは図示しないＨＩＳ／ＲＩＳのサーバーとつながっている。
１０６は、システム制御部であり、立位センサユニット１０１、臥位センサユニット１０２、Ｘ線発生手段１０３、及び撮影シーケンスの制御を行っている。
【００１６】
１０１は立位センサユニットである。１０２は臥位センサユニットである。これら立体センサユニット１０１と臥位センサユニット１０２は、それぞれ被写者Ｓを透過したＸ線量に相当する電荷を、ＡＤ変換して電子画像としてシステム制御部１０６に転送する。なお、以下の説明では、被写体Ｓを必要に応じて患者と称する。
【００１７】
上記ＨＩＳ／ＲＩＳのサーバーから送られてくる患者情報は、撮影リスト受信手段１０９によって、システム制御部１０６に取り込まれる。検出手段１０５で検出されたＸ線量は統計手段１１０に送られる。統計手段１１０は、システム制御部１０６からの患者情報や撮影条件情報をもとに、Ｘ線量の統計値を算出する。
【００１８】
表示手段１０７は、Ｘ線発生手段１０３や、Ｘ線撮影に関わる設定のための操作を撮影者に行わせるようにするとともに、患者（被写体Ｓ）の氏名、性別、年齢などからなる患者情報や、撮影画像や、Ｘ線量のヒストグラムなどをＸ線量把握用画面内に表示する。
【００１９】
図２に表示手段１０７に表示されるＸ線量把握用画面の詳細を示す。
この表示手段１０７には、例えば、液晶ディスプレイとアナログ抵抗膜式タッチセンサーシートとにより構成されたタッチパネルを適用する。この表示手段１０７は、撮影された画像（撮影画像）２０１を、上記Ｘ線量把握用画面内に、撮影後に表示する。実際に撮影したときの撮影条件も、Ｘ線発生手段１０３からの撮影条件情報に従って撮影条件表示領域２０２に表示する。ヒストグラム表示領域２０３には、例えば、撮影条件別、部位別、性別別、年齢別に算出されたＸ線量のヒストグラムを表示する。本例では、部位が胸部正面、性別が男性、年齢が成人というカテゴリのヒストグラムを表示している。
【００２０】
なお、図１では、Ｘ線管球１０４と被写体Ｓとの間に、検出手段１０５がある例を示しているが、図３に示すように立位センサユニット１０１、及び臥位センサユニット１０２内の散乱線除去グリッド３０１と、被写体Ｓを透過したＸ線量を電荷に変換するセンサプレート３０２との間に検出手段３０５を配置し、被写体Ｓを透過したＸ線量を検出手段３０５により検出してもよい。もしくは、センサプレート３０２でＡＤ変換された画像情報をもとに、照射されたＸ線量を推定してもよい。
【００２１】
図４は、ヒストグラム表示領域２０３の部分を拡大して示したものである。
図４において、縦軸４０１は撮影に使用されたＸ線量の頻度を表し、横軸４０２は例えば表面線量を示している。線量は照射線量を示してもよいし、線量の目安となる相対的な値でもよい。
【００２２】
また、実際に撮影に使用された（今回の撮影で使用された）Ｘ線量を縦線４０３で示している。撮影者は、ヒストグラム全体における相対位置から、今回の撮影で使用されたＸ線量がどの程度であったのかを確認することができる。図４の例では、ヒストグラムの最も頻度の高いＸ線量よりも、多いＸ線量で撮影が行われたことを一目で確認することができる。
【００２３】
以上のような本実施の形態のＸ線画像撮影装置における処理の一例を図７のフローチャートを参照しながら説明する。
まず、最初のステップＳ７１において、システム制御部１０６は、撮影者の操作に基づいて、図２に示したＸ線量把握用画面を、表示手段７に表示させるようにする。ただし、ここでは、デフォルトの内容のみを表示し、撮影条件表示領域２０２と、ヒストグラム表示領域２０３と、患者情報表示領域２０４には具体的な内容を表示しない。また、撮影画像２０１も表示しない。
【００２４】
次に、ステップＳ２において、システム制御部１０６は、Ｘ線発生手段１０３の設定内容に基づく撮影条件情報を取得する。
【００２５】
次に、ステップＳ３において、システム制御部１０６は、患者選択用の画面を表示手段１０７に表示する。そして、表示した患者選択用画面の中から撮影しようとしている患者（被写体Ｓ）が撮影者により選択されるまで待機し、選択されるとステップＳ４に進む。
【００２６】
次に、ステップＳ４において、システム制御部１０６は、ステップＳ３で取得した患者（被写体Ｓ）に関する患者情報を、上記ＨＩＳ／ＲＩＳのサーバーから取得する。
【００２７】
次に、ステップＳ５において、システム制御部１０６は、ステップＳ４で取得した患者情報を、上記Ｘ線量把握用画面の患者情報表示領域２０４に表示させる。
次に、ステップＳ６において、システム制御部１０６は、上記Ｘ線量把握用画面に表示されている撮影部位ボタンの操作に基づいて、撮影者により撮影部位が選択されるまで待機し、選択されるとステップＳ７に進む。図２では、胸部正面を選択するための撮影部位ボタン２０５が押された例を示している。
【００２８】
次に、ステップＳ７において、システム制御部１０６は、撮影者からの指示に従って、ステップＳ１で取得した撮影条件情報に基づく量のＸ線が発生するようにＸ線発生手段１０３を制御する。これにより、Ｘ線管球１０４から患者（被写体Ｓ）に向けてＸ線が照射される。
【００２９】
次に、ステップＳ８において、立体センサユニット１０１または臥位センサユニット１０２は、患者（被写体Ｓ）を透過したＸ線量に基づいて電子画像を形成し、システム制御部１０６に転送する。
【００３０】
次に、ステップＳ９において、検出手段５は、照射されたＸ線量を検出する。
なお、ステップＳ８とステップＳ９の処理の順番は、逆であってもよい。
【００３１】
次に、ステップＳ１０において、統計手段１１０は、ステップＳ２で取得された撮影条件情報と、ステップＳ４で取得された患者情報と、ステップＳ６で選択された撮影部位に関する情報とに基づいて、Ｘ線量のヒストグラムを作成する。
【００３２】
次に、ステップＳ１１において、システム制御部１０６は、ステップＳ５で転送された電子画像（撮像画像）２０１を、上記Ｘ線量把握用画面の所定の領域に表示させる。また、ステップＳ１０で作成されたヒストグラムを、上記Ｘ線量把握用画面のヒストグラム表示領域２０３に表示させる。さらに、ステップＳ２で取得した撮影条件と、ステップＳ６で選択された撮影部位とを、上記Ｘ線量把握用画面の撮影条件表示領域２０２に表示させる。
【００３３】
以上のように本実施の形態では、被写体Ｓ（患者）の撮影後に、撮影に使用したＸ線量を反映させたヒストグラムを作成して表示するようにしたので、撮影者は、撮影に使用したＸ線量が、過去の撮影に使用されたＸ線量に比べ、どの程度のものであるかを、ヒストグラム全体における相対位置から一目で確認することができるようになるとともに、使用頻度の高いＸ線量を容易に認識することができる。これにより、撮影者や施設などによって、使用するＸ線量にばらつきが生じてしまうことを可及的に防止することができ、可及的に一定のＸ線量で撮影を行うことができる。
【００３４】
（第２の実施の形態）
次に、本発明の第２の実施の形態について説明する。なお、本実施の形態の説明において、上述した第１の実施の形態と同一の部分については、図１〜図４に付した符号と同一の符号を付すなどして詳細な説明を省略する。
【００３５】
上述した第１の実施の形態では、「撮影の後に」実際に撮影に使用されたＸ線量をヒストグラムにより表示するＸ線撮影装置を示したが、本実施の形態では、「撮影する前」に、上述したヒストグラムを表示し、表示したヒストグラムを参考に、撮影条件を決定するようにする。
図５に、本実施の形態におけるＸ線量把握用画面の詳細を示す。
撮影する患者（被写体Ｓ）の氏名、性別、年齢などの患者情報が、上記ＨＩＳ／ＲＩＳのサーバーから送られて、撮影リスト受信手段１０９によって、システム制御部１０６に取り込まれる。
【００３６】
上記患者情報が入力されると、表示手段１０７に表示されるＸ線量把握用画面上の患者情報表示領域２０４に、その情報が表示される。撮影者が撮影部位ボタン（胸部正面を選択するための撮影部位ボタン２０５など）を押して、撮影部位を決定すると、部位、性別、年齢毎に算出されたヒストグラムがヒストグラム表示領域２０３内に表示される。
【００３７】
また、ヒストグラムにおける最も撮影頻度の高いＸ線量のところに縦線５０２が表示され、そのＸ線量で撮影された際に設定された管電圧、管電流、曝射時間などの撮影条件が自動的にセットされる。
【００３８】
そして、撮影者がＸ線量調整ボタン５０３を押すことによって、ヒストグラム表示領域２０３内に表示された縦線５０２の位置が左右に動き、それに同期して上記自動的にセットされた撮影条件（例えば管電流や曝射時間）がセットし直される。
【００３９】
このようにすることにより、撮影者は、患者（被写体Ｓ）の体格とヒストグラムとを参考にしながら、撮影に使用するＸ線量の増減を決めることができ、撮影条件を個人の記憶に頼らずに決定することができるようになる。
【００４０】
以上のような本実施の形態のＸ線画像撮影装置における処理の一例を図８のフローチャートを参照しながら説明する。
まず、最初のステップＳ２１において、システム制御部１０６は、撮影者の操作に基づいて、図５に示したＸ線量把握用画面を、表示手段７に表示させるようにする。ただし、ここでは、図７のステップＳ１と同様に、デフォルトのＸ線量把握用画面を表示する。
【００４１】
次にステップＳ２２において、システム制御部１０６は、図７のステップＳ３と同様に、撮影しようとしている患者（被写体Ｓ）が撮影者により選択されるまで待機し、選択されるとステップＳ２３に進む。
【００４２】
次に、ステップＳ２３において、システム制御部１０６は、図７のステップＳ４と同様に、ステップＳ２２で取得した患者（被写体Ｓ）に関する患者情報を取得する。
【００４３】
次に、ステップＳ２４において、システム制御部１０６は、ステップＳ２２で取得した患者情報を、上記Ｘ線量把握用画面の患者情報表示領域２０４に表示させる。
【００４４】
次に、ステップＳ２５において、システム制御部１０６は、上記Ｘ線量把握用画面に表示されている撮影部位ボタンの操作に基づいて、撮影者により撮影部位が選択されるまで待機し、選択されるとステップＳ２６に進む。図５では、胸部正面を選択するための撮影部位ボタン２０５が押された例を示している。
【００４５】
そして、ステップＳ２６において、システム制御部１０６は、ステップＳ２２で取得した患者情報と、ステップＳ２５で撮影者により選択された撮影部位とに基づく条件に最も合うヒストグラムを選択し、上記Ｘ線量把握用画面のヒストグラム表示領域２０３に表示させる。このとき、上記ヒストグラムにおける最も頻度の高いＸ線量のところに縦線５０２を表示する。
【００４６】
次に、ステップＳ２７において、システム制御部１０６は、ステップＳ２５で選択された撮影部位と、その撮影部位における最大頻度の撮影条件とを、上記Ｘ線量把握用画面の撮影条件表示領域２０２に表示させる。そして、表示した撮影条件をＸ線発生手段１０３にセットする。
【００４７】
次に、ステップＳ２８において、システム制御部１０６は、上記Ｘ線量把握用画面のＸ線量調整ボタン５０３の操作に基づいて、撮影者により撮影条件が変更されたか否かを判定する。
【００４８】
この判定の結果、撮影条件が変更された場合には、ステップＳ２９に進み、システム制御部１０６は、ステップＳ２７でセットした撮影条件を変更するとともに、表示した撮影条件を変更する。
一方、撮影条件が変更されない場合には、ステップＳ２９の処理を省略してステップＳ３０に進む。
【００４９】
そして、ステップＳ３０において、システム制御部１０６は、操作者からの指示に従って、ステップＳ２７またはステップＳ２９でセットした撮影条件に基づく量のＸ線が発生するようにＸ線発生手段１０３を制御する。これにより、Ｘ線管球１０４から患者（被写体Ｓ）に向けてＸ線が照射される。
【００５０】
次に、ステップＳ３１において、立体センサユニット１０１または臥位センサユニット１０２は、患者（被写体Ｓ）を透過したＸ線量に基づいて電子画像を形成し、システム制御部１０６に転送する。
【００５１】
次に、ステップＳ３２において、検出手段５は、照射されたＸ線量を検出する。
なお、ステップＳ３１とステップＳ３２の処理の順番は、逆であってもよい。
【００５２】
次に、ステップＳ３３において、統計手段１１０は、ステップＳ２７またはステップＳ２９でセットされた撮影条件に関する情報（撮影条件情報）と、ステップＳ２３で取得された患者情報と、ステップＳ２５で選択された撮影部位に関する情報とに基づいて、Ｘ線量のヒストグラムを作成する。
【００５３】
次に、ステップＳ３４において、システム制御部１０６は、ステップＳ３１で転送された電子画像（撮影画像）２０１を、上記Ｘ線量把握用画面の所定の領域に表示させる。
【００５４】
以上のように本実施の形態では、撮影前に、撮影しようとする患者（被写体Ｓ）に最も適したＸ線量のヒストグラムを表示するようにしたので、撮影者は、過去の実績に基づいて、使用するＸ線量（の増減）を決めることができる。したがって、上述した第１の実施の形態の効果に加え、個人の記憶に頼らなくても最適な撮影条件を決定することができ、患者（被写体Ｓ）の被曝線量を可及的に低減させることができる。
【００５５】
また、ヒストグラムにおける最も頻度の高いＸ線量となるように、撮影条件を自動的にセットするようにしたので、撮影者の操作負担を可及的に軽減させることができる。
【００５６】
なお、図８のフローチャートにおいて、ステップＳ２３で作成したヒストグラムを表示し、最新のヒストグラムを撮影直後に操作者に把握させるようにしてもよい。
【００５７】
（第３の実施の形態）
次に、本発明の第３の実施の形態について説明する。なお、本実施の形態の説明において、上述した第１または第２の実施の形態と同一の部分については、図１〜図５に付した符号と同一の符号を付すなどして詳細な説明を省略する。
【００５８】
図６に、本実施の形態が適用されるＸ線撮影システムの構成の一例を示す。
図６に示すように、本実施の形態におけるＸ線撮影システムでは、複数のＸ線画像撮影装置６０１〜６０３がインターネット６０５を介して相互に接続されている。
【００５９】
そして、それぞれのＸ線画像撮影装置６０１〜６０３で被写体Ｓが撮影された際には、その撮影に使用したＸ線量や、撮影条件、並びに撮影した患者（被写体Ｓ）に関する患者情報などの情報をすべて、統計処理用のパソコン６０４に送る。
【００６０】
この統計処理用のパソコン６０４は、全ての撮影に対してＸ線量に関する統計処理を行い、上述したヒストグラムなどのＸ線量に関する統計値（統計情報）を作成する。各Ｘ線画像撮影装置６０１〜６０３は、撮影者などの指示に基づいて、統計処理用のパソコン６０４により作成された統計情報を取得する。
【００６１】
これにより、各Ｘ線画像撮影装置６０１〜６０３を操作する撮影者は、統計処理用のパソコン６０４により作成されたヒストグラムなどの統計情報を、上述したように撮影後に確認することができる。また、撮影前に上記統計情報を取得した場合には、撮影条件を設定する際に上記統計情報を参照することができる。
【００６２】
以上のように本実施の形態では、複数のＸ線画像撮影装置６０１〜６０３における実績に基づいて、Ｘ線量のヒストグラムを作成し、この作成したヒストグラムを複数のＸ線画像撮影装置６０１〜６０３で共有するようにしたので、より多くの撮影実績に基づくヒストグラムを作成することができ、ヒストグラムの信頼性をより向上させることができる。これにより、各Ｘ線画像撮影装置６０１〜６０３は、より安定した撮影を行うことができる。
【００６３】
なお、図６に示したＸ線画像撮影装置６０１〜６０３と統計処理用のパソコン６０４との接続形態は、院内にとどまらない。例えば、異なる病院に設置されているＸ線画像撮影装置６０１〜６０３を、インターネット６０５を介して接続し、異なる病院間で上述した情報（ヒストグラム）を共有してもかまわない。
【００６４】
また、上述した第１〜第３の実施の形態では、照射線量もしくは吸収線量の統計値を撮影者に示す場合を例に挙げて説明したが、センサプレート３０２の出力を利用したシステム感度などとよばれるＸ線画像撮影装置が定義した相対的な線量の統計値を撮影者に示す構成であってもかまわない。
【００６５】
（本発明の他の実施形態）
上述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００６６】
また、この場合、前記ソフトウェアのプログラムコード自体が上述した実施形態の機能を実現することになり、そのプログラムコード自体、およびそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００６７】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００６８】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００６９】
本発明の実施態様の例を以下に列挙する。
（実施態様１）  被写体の撮影に要したＸ線量を検出する検出手段と、
上記検出手段で検出されたＸ線量の統計値を算出する統計手段と
上記統計手段で算出された統計値を表示する表示手段とを具備することを特徴とするＸ線画像撮影装置。
【００７０】
（実施態様２）  上記検出手段は、上記被写体に照射されたＸ線量を検出することを特徴とする実施態様１に記載のＸ線画像撮影装置。
【００７１】
（実施態様３）  上記検出手段は、上記被写体を透過したＸ線量を検出することを特徴とする実施態様１に記載のＸ線画像撮影装置。
【００７２】
（実施態様４）  上記統計手段は、撮影条件毎に上記Ｘ線量の統計値を算出することを特徴とする実施態様１〜３の何れか１態様に記載のＸ線画像撮影装置。
【００７３】
（実施態様５）  上記統計手段は、上記被写体の部位毎に上記Ｘ線量の統計値を算出することを特徴とする実施態様１〜４の何れか１態様に記載のＸ線画像撮影装置。
【００７４】
（実施態様６）  上記統計手段は、上記被写体の性別毎に上記Ｘ線量の統計値を算出することを特徴とする実施態様１〜５の何れか１態様に記載のＸ線画像撮影装置。
【００７５】
（実施態様７）  上記統計手段は、上記被写体の年齢毎もしくは年齢層毎に上記Ｘ線量の統計値を算出することを特徴とする実施態様１〜６の何れか１態様に記載のＸ線画像撮影装置。
【００７６】
（実施態様８）  上記統計値は、ヒストグラムであることを特徴とする実施態様１〜７の何れか１態様に記載のＸ線画像撮影装置。
【００７７】
（実施態様９）  上記表示手段は、実際の撮影に要したＸ線量を、上記ヒストグラム上に表示することを特徴とする実施態様８に記載のＸ線画像撮影装置。
【００７８】
（実施態様１０）  被写体の撮影に要したＸ線量の統計値を、撮影条件別に算出する統計手段と、
上記統計手段で算出されたＸ線量の統計値と、撮影のために設定された撮影条件とをもとに、撮影に要するＸ線量を撮影前に推定するＸ線量推定手段と、
上記Ｘ線量推定手段で推定されたＸ線量を表示する表示手段とを具備することを特徴とするＸ線画像撮影装置。
【００７９】
（実施態様１１）  被写体の撮影に要したＸ線量の統計値を、撮影条件別に算出する統計手段と
上記統計手段で算出されたＸ線量の統計値と、撮影のために設定された撮影条件とをもとに、撮影に要するＸ線量を撮影前に推定するＸ線量推定手段と、
上記Ｘ線量推定手段で推定されたＸ線量と、上記統計手段で算出されたＸ線量の統計値とを表示する表示手段とを具備することを特徴とするＸ線画像撮影装置。
【００８０】
（実施態様１２）  ネットワーク上に接続された複数のＸ線画像撮影装置における撮影で要したＸ線量の統計値を算出する統計手段と、
上記統計手段で算出された統計値を表示する表示手段とを具備することを特徴とするＸ線画像撮影装置。
【００８１】
（実施態様１３）  上記統計値は、ヒストグラムであることを特徴とする実施態様１０〜１２の何れか１態様に記載のＸ線画像撮影装置。
【００８２】
（実施態様１４）  上記表示手段は、実際の撮影に要したＸ線量を、上記ヒストグラム上に、撮影後に表示することを特徴とする実施態様１３に記載のＸ線画像撮影装置。
【００８３】
（実施態様１５）  被写体の撮影に要したＸ線量を検出する検出処理と、
上記検出処理で検出されたＸ線量の統計値を算出する統計処理と
上記統計処理で算出された統計値を表示する表示処理とを含むことを特徴とするＸ線量表示方法。
【００８４】
（実施態様１６）  上記検出処理は、上記被写体に照射されたＸ線量を検出することを特徴とする実施態様１５に記載のＸ線量表示方法。
【００８５】
（実施態様１７）  上記検出処理は、上記被写体を透過したＸ線量を検出することを特徴とする実施態様１５に記載のＸ線量表示方法。
【００８６】
（実施態様１８）  上記統計処理は、撮影条件毎に上記Ｘ線量の統計値を算出することを特徴とする実施態様１５〜１７の何れか１態様に記載のＸ線量表示方法。
【００８７】
（実施態様１９）  上記統計処理は、上記被写体の部位毎に上記Ｘ線量の統計値を算出することを特徴とする実施態様１５〜１８の何れか１態様に記載のＸ線量表示方法。
【００８８】
（実施態様２０）  上記統計処理は、上記被写体の性別毎に上記Ｘ線量の統計値を算出することを特徴とする実施態様１５〜１９の何れか１態様に記載のＸ線量表示方法。
【００８９】
（実施態様２１）  上記統計処理は、上記被写体の年齢毎もしくは年齢層毎に上記Ｘ線量の統計値を算出することを特徴とする実施態様１５〜２０の何れか１態様に記載のＸ線量表示方法。
【００９０】
（実施態様２２）  上記統計値は、ヒストグラムであることを特徴とする実施態様１５〜２１の何れか１態様に記載のＸ線量表示方法。
【００９１】
（実施態様２３）  上記表示処理は、実際の撮影に要したＸ線量を、上記ヒストグラム上に表示することを特徴とする実施態様２２に記載のＸ線量表示方法。
【００９２】
（実施態様２４）  被写体の撮影に要したＸ線量の統計値を、撮影条件別に算出する統計処理と、
上記統計処理で算出されたＸ線量の統計値と、撮影のために設定された撮影条件とをもとに、撮影に要するＸ線量を撮影前に推定するＸ線量推定処理と、
上記Ｘ線量推定処理で推定されたＸ線量を表示する表示処理とを含むことを特徴とするＸ線量表示方法。
【００９３】
（実施態様２５）  被写体の撮影に要したＸ線量の統計値を、撮影条件別に算出する統計処理と
上記統計処理で算出されたＸ線量の統計値と、撮影のために設定された撮影条件とをもとに、撮影に要するＸ線量を撮影前に推定するＸ線量推定処理と、
上記Ｘ線量推定処理で推定されたＸ線量と、上記統計処理で算出されたＸ線量の統計値とを表示する表示処理とを含むことを特徴とするＸ線量表示方法。
【００９４】
（実施態様２６）  複数のＸ線画像撮影装置における撮影で要したＸ線量の統計値を算出する統計処理と、
上記統計処理で算出された統計値を表示する表示処理とを含むことを特徴とするＸ線量表示方法。
【００９５】
（実施態様２７）  上記統計値は、ヒストグラムであることを特徴とする実施態様２４〜２６の何れか１態様に記載のＸ線量表示方法。
【００９６】
（実施態様２８）  上記表示処理は、実際の撮影に要したＸ線量を、上記ヒストグラム上に、撮影後に表示することを特徴とする実施態様２７に記載のＸ線量表示方法。
【００９７】
（実施態様２９）  被写体の撮影に要したＸ線量を検出する検出処理と、
上記検出処理で検出されたＸ線量の統計値を算出する統計処理と
上記統計処理で算出された統計値を表示する表示処理とを含む処理をコンピュータに実行させることを特徴とするコンピュータプログラム。
【００９８】
（実施態様３０）  被写体の撮影に要したＸ線量の統計値を、撮影条件別に算出する統計処理と、
上記統計処理で算出されたＸ線量の統計値と、撮影のために設定された撮影条件とをもとに、撮影に要するＸ線量を撮影前に推定するＸ線量推定処理と、
上記Ｘ線量推定処理で推定されたＸ線量を表示する表示処理とを含む処理をコンピュータに実行させることを特徴とするコンピュータプログラム。
【００９９】
（実施態様３１）  被写体の撮影に要したＸ線量の統計値を、撮影条件別に算出する統計処理と
上記統計処理で算出されたＸ線量の統計値と、撮影のために設定された撮影条件とをもとに、撮影に要するＸ線量を撮影前に推定するＸ線量推定処理と、
上記Ｘ線量推定処理で推定されたＸ線量と、上記統計処理で算出されたＸ線量の統計値とを表示する表示処理とを含む処理をコンピュータに実行させることを特徴とするコンピュータプログラム。
【０１００】
（実施態様３２）  複数のＸ線画像撮影装置における撮影で要したＸ線量の統計値を算出する統計処理と、
上記統計処理で算出された統計値を表示する表示処理とを含む処理をコンピュータに実行させることを特徴とするコンピュータプログラム。
【０１０１】
（実施態様３３）  上記実施態様２９〜３２の何れか１態様に記載のコンピュータプログラムを記録したことを特徴とするコンピュータ読み取り可能な記録媒体。
【０１０２】
【発明の効果】
以上説明したように本発明によれば、被写体の撮影に要したＸ線量の統計値を算出して表示するようにしたので、被写体の撮影に要したＸ線量の実績を、撮影者に対して認識させるようにすることができる。これにより、施設または撮影者によって、撮影に使用するＸ線量にばらつきが生じてしまうことを可及的に少なくすることができ、可及的に一定のＸ線量で撮影を行うことができるようになる。
【図面の簡単な説明】
【図１】本発明の第１の実施の形態を示し、Ｘ線画像撮影装置のシステム構成の一例を示す図である。
【図２】本発明の第１の実施の形態を示し、Ｘ線量把握用画面の詳細を示す図である。
【図３】本発明の第１の実施の形態を示し、検出手段の他の例を示した図である。
【図４】本発明の第１の実施の形態を示し、Ｘ線量把握用画面のヒストグラム表示領域の部分を拡大して示した図である。
【図５】本発明の第２の実施の形態を示し、Ｘ線量把握用画面の詳細を示す図である。
【図６】本発明の第３の実施の形態を示し、Ｘ線撮影システムの構成の一例を示す図である。
【図７】本発明の第１の実施の形態を示し、Ｘ線画像撮影装置における処理の一例を説明するフローチャートである。
【図８】本発明の第２の実施の形態を示し、Ｘ線画像撮影装置における処理の一例を説明するフローチャートである。
【符号の説明】
１０１  立体センサユニット
１０２  臥位センサユニット
１０３  Ｘ線発生手段
１０４  Ｘ線管球
１０５  検出手段
１０６  システム制御部
１０７  表示手段
１０８  ネットワーク
１０９  撮影リスト受信手段
１１０  統計手段
２１０  撮影画像
２０２  撮影条件表示領域
２０３  ヒストグラム表示領域
２０４  患者情報表示領域
２０５  撮影部位ボタン
５０３  Ｘ線量調整ボタン
Ｓ  被写体（患者）
【図１】
2004337197.tif 000003
【図２】
2004337197.tif 000004
【図３】
2004337197.tif 000005
【図４】
2004337197.tif 000006
【図５】
2004337197.tif 000007
【図６】
2004337197.tif 000008
【図７】
2004337197.tif 000009
【図８】
2004337197.tif 000010